(57)【特許請求の範囲】
【請求項１】
撮像面に結像された被写体像を電気信号に変換し、画像データとして出力する光電変換手段と、ホワイトバランスゲインの手動設定操作を行わせる操作手段と、該操作手段の操作量に応じて前記ホワイトバランスゲインの現設定値を変える手動設定手段と、前記ホワイトバランスゲインの現設定値に関する情報を表示する表示手段と、前記ホワイトバランスゲインの現設定値を用いて前記画像データのホワイトバランス制御を行うホワイトバランス制御手段と、を備えた撮像装置において、
手動設定可能な２種類のホワイトバランスゲインの可変範囲を示すレベルゲージを各々直交させた座標を表示させると共に当該座標上における前記２種類のホワイトバランスゲインの現設定値を指示する現設定値マークを表示させると共に、前記操作手段の操作量に応じて前記現設定値マークを移動して前記現設定値の指示を維持する表示制御手段をさらに備えたことを特徴とする撮像装置。
【請求項２】
予め定めた所定値にホワイトバランスゲインを設定するプリセット設定手段をさらに備え、そして、
前記表示制御手段が、前記プリセット設定手段による設定が行われるプリセット設定モード時にも前記レベルゲージ及び前記現設定値マークを表示させるように設定されていることを特徴とする請求項１に記載の撮像装置。
【請求項３】
予め定めた所定値にホワイトバランスゲインを設定するプリセット設定手段と、
前記手動設定手段による設定が行われる手動設定モードと、画像データの評価値に基づいてホワイトバランスゲインを設定する自動ホワイトバランスモードと、前記プリセット設定手段による設定が行われるプリセット設定モードと、の選択手段をさらに備え、そして、
前記選択手段で前記手動設定モードが選択されると、前記手動設定手段が、当該選択直前の前記設定値から前記手動設定動作を開始するように設定されていることを特徴とする請求項１に記載の撮像装置。
【請求項４】
前記手動設定モードの選択に応じて当該選択直前の現設定値を記憶する記憶手段と、
前記手動設定モード選択時にリセット操作が行われると前記ホワイトバランスゲインを前記記憶手段に記憶されている値にリセットするリセット手段と、をさらに備えたことを特徴とする請求項３に記載の撮像装置。
【請求項５】
前記ホワイトバランスゲインの現設定値が前記可変範囲を超えるような手動設定操作が行われたとき、その旨を伝える警報を発生する警報発生手段をさらに備えたことを特徴とする請求項１〜４何れか１項に記載の撮像装置。
【請求項６】
ホワイトバランスゲインの手動設定操作が行われている場合にその操作量に応じてホワイトバランスゲインの現設定値を変えることができる撮像装置内に備えられた表示手段に前記ホワイトバランスゲインの現設定値に関する情報を表示するための表示制御方法であって、
手動設定可能な２種類のホワイトバランスゲインの可変範囲を示すレベルゲージを各々直交させた座標を表示し、当該座標上における前記２種類のホワイトバランスゲインの現設定値を指示する現設定値マークを表示させる工程と、
前記手動設定操作による操作量に応じて前記現設定値マークを移動して前記現設定値の指示を維持する工程と、を備えたことを特徴とする表示制御方法。
【請求項７】
撮像面に結像された被写体像を電気信号に変換し、画像データとして出力する光電変換手段と、ホワイトバランスゲインの手動設定操作を行わせる操作手段と、該操作手段の操作量に応じて前記ホワイトバランスゲインの現設定値を変える手動設定手段と、前記ホワイトバランスゲインの現設定値に関する情報を表示する表示手段と、前記ホワイトバランスゲインの現設定値を用いて前記画像データのホワイトバランス制御を行うホワイトバランス制御手段と、を備えた撮像装置のコンピュータに、
手動設定可能な２種類のホワイトバランスゲインの可変範囲を示すレベルゲージを各々直交させた座標を表示し、当該座標上における前記２種類のホワイトバランスゲインの現設定値を指示する現設定値マークを表示させると共に前記操作手段の操作量に応じて前記現設定値マークを移動して前記現設定値の指示を維持する表示制御手段として機能させるためのプログラム。
【請求項８】
請求項７記載のプログラムを記録したコンピュータ読取可能な記録媒体。
【発明の詳細な説明】
【０００１】
【発明の属する技術分野】
この発明は、撮像装置、撮像方法、プログラム、記録媒体に係わり、特に、ホワイトバランス制御を行う撮像装置、撮像方法、プログラム、記録媒体に関する。
【０００２】
【従来の技術】
デジタルカメラ等の撮像装置で撮像した画像は、人間には、白（無彩色）に感じる被写体でも、光源の色温度により、着色して見えるため、ホワイトバランス制御が必要になる。通常は、信号処理系に設けられたＲ（赤）、Ｂ（青）のホワイトバランスゲインを調整して、Ｒ（赤）：Ｇ（緑）：Ｂ（青）の比が、１：１：１になるように制御する。
【０００３】
しかし、自動ホワイトバランスは、“画面内の全色を積分すると無彩色になる”を原則にした制御のため、この条件から外れる被写体、例えば、赤等偏った色（単色）が支配的な被写体や色温度軌跡より外れた光源下の被写体の場合、誤動作を起こしてしまう。
【０００４】
これをできるだけ防止するためには、画面上のエリア分割や、色の飽和度により自動ホワイトバランスの制御データに使用するかしないかの判断を行う等のアルゴリズム上の工夫を行う必要があるが、完璧な自動ホワイトバランスは困難である。
【０００５】
そこで、現在市販されているデジタルカメラやビデオカメラ等の撮像装置の多くは、手動でホワイトバランスゲインを設定するマニュアルホワイトバランスや、屋外や、蛍光灯下での撮影用に予め定められた所定値に、ホワイトバランスゲインを設定するプリセットホワイトバランスを装備し、自動ホワイトバランスで合せることが困難な被写体や特殊な光源下での撮影に対応している。
【０００６】
【発明が解決しようとする課題】
しかしながら、前述のようにホワイトバランス制御は、Ｒ、Ｂの２軸制御であるため、マニュアルホワイトバランスでＲ、Ｂのゲインを独立に動かすようにすると設定の自由度は上がるが、ユーザーの希望するホワイトバランスにするのは、困難であった。
【０００７】
そこで、本発明は、上記のような問題点に着目し、ホワイトバランスゲインの手動設定時での操作性を向上した撮像装置を提供することを課題とする。
【０００８】
【課題を解決するための手段】
上記課題を解決するためになされた請求項１記載の発明は、撮像面に結像された被写体像を電気信号に変換し、画像データとして出力する光電変換手段と、ホワイトバランスゲインの手動設定操作を行わせる操作手段と、該操作手段の操作量に応じて前記ホワイトバランスゲインの現設定値を変える手動設定手段と、前記ホワイトバランスゲインの現設定値に関する情報を表示する表示手段と、前記ホワイトバランスゲインの現設定値を用いて前記画像データのホワイトバランス制御を行うホワイトバランス制御手段と、を備えた撮像装置において、手動設定可能な２種類のホワイトバランスゲインの可変範囲を示すレベルゲージを各々直交させた座標を表示させると共に当該座標上における前記２種類のホワイトバランスゲインの現設定値を指示する現設定値マークを表示させると共に、前記操作手段の操作量に応じて前記現設定値マークを移動して前記現設定値の指示を維持する表示制御手段をさらに備えたことを特徴とする撮像装置に存する。
【００１１】
請求項１記載の発明によれば、手動設定可能な２種類のホワイトバランス（ＷＢ）ゲインの可変範囲を示すレベルゲージを各々直交させた座標を表示させると共に、当該座標上における２種類のＷＢゲインの現設定値を指示する現設定値マークを表示させる。従って、手動設定モード時に、２種類のＷＢゲインの関係が一目でわかる。
【００１２】
請求項２記載の発明は、予め定めた所定値にホワイトバランスゲインを設定するプリセット設定手段をさらに備え、そして、前記表示制御手段が、前記プリセット設定手段による設定が行われるプリセット設定モード時にも前記レベルゲージ及び前記現設定値マークを表示させるように設定されていることを特徴とする請求項１に記載の撮像装置に存する。
【００１３】
請求項２記載の発明によれば、表示制御手段は、プリセット設定モード時もレベルゲージ及び現設定値マークを表示させる。従って、プリセット設定モード時に、ゲインの可変範囲に対する現設定値が一目でわかる。
【００１４】
請求項３記載の発明は、予め定めた所定値にホワイトバランスゲインを設定するプリセット設定手段と、前記手動設定手段による設定が行われる手動設定モードと、画像データの評価値に基づいてホワイトバランスゲインを設定する自動ホワイトバランスモードと、前記プリセット設定手段による設定が行われるプリセット設定モードと、の選択手段をさらに備え、そして、前記選択手段で前記手動設定モードが選択されると、前記手動設定手段が、当該選択直前の前記設定値から前記手動設定動作を開始するように設定されていることを特徴とする請求項１に記載の撮像装置に存する。
【００１５】
請求項３記載の発明によれば、手動設定モードが選択されると、選択直前の現設定値から手動設定動作が開始される。従って、選択直前の現設定値から手動設定を開始することにより、自動ホワイトバランスモードやプリセット設定モードによりおおまかにゲインが調整された状態から手動で微調整することができる。
【００１６】
請求項４記載の発明は、前記手動設定モードの選択に応じて当該選択直前の現設定値を記憶する記憶手段と、前記手動設定モード選択時にリセット操作が行われると前記ホワイトバランスゲインを前記記憶手段に記憶されている値にリセットするリセット手段と、をさらに備えたことを特徴とする請求項３に記載の撮像装置に存する。
【００１７】
請求項４記載の発明によれば、手動設定モードの選択に応じて、その選択直前の現設定値を記憶する。リセット手段が、手動設定モード選択時に、リセット操作が行われると、ＷＢゲインを、記憶手段に記憶されている値にリセットする。従って、リセット操作するだけで、簡単にＷＢゲインを手動設定モード選択前に戻すことができる。
【００１８】
請求項５記載の発明は、前記ホワイトバランスゲインの現設定値が前記可変範囲を超えるような手動設定操作が行われたとき、その旨を伝える警報を発生する警報発生手段をさらに備えたことを特徴とする請求項１〜４何れか１項に記載の撮像装置に存する。
【００１９】
請求項５記載の発明によれば、手動設定モード選択時に、ＷＢゲインの現設定値が、可変範囲を超えるような手動設定操作を行ったときに、警報発生手段が、その旨を伝える警報を発生する。従って、撮影者が、可変範囲を超えるような手動設定操作を行ったことを知ることができる。
【００２０】
請求項６記載の発明は、ホワイトバランスゲインの手動設定操作が行われている場合にその操作量に応じてホワイトバランスゲインの現設定値を変えることができる撮像装置内に備えられた表示手段に前記ホワイトバランスゲインの現設定値に関する情報を表示するための表示制御方法であって、手動設定可能な２種類のホワイトバランスゲインの可変範囲を示すレベルゲージを各々直交させた座標を表示し、当該座標上における前記２種類のホワイトバランスゲインの現設定値を指示する現設定値マークを表示させる工程と、前記手動設定操作による操作量に応じて前記現設定値マークを移動して前記現設定値の指示を維持する工程と、を備えたことを特徴とする表示制御方法に存する。
【００２１】
請求項７記載の発明は、撮像面に結像された被写体像を電気信号に変換し、画像データとして出力する光電変換手段と、ホワイトバランスゲインの手動設定操作を行わせる操作手段と、該操作手段の操作量に応じて前記ホワイトバランスゲインの現設定値を変える手動設定手段と、前記ホワイトバランスゲインの現設定値に関する情報を表示する表示手段と、前記ホワイトバランスゲインの現設定値を用いて前記画像データのホワイトバランス制御を行うホワイトバランス制御手段と、を備えた撮像装置のコンピュータに、手動設定可能な２種類のホワイトバランスゲインの可変範囲を示すレベルゲージを各々直交させた座標を表示し、当該座標上における前記２種類のホワイトバランスゲインの現設定値を指示する現設定値マークを表示させると共に前記操作手段の操作量に応じて前記現設定値マークを移動して前記現設定値の指示を維持する表示制御手段として機能させるためのプログラムに存する。
【００２２】
請求項８記載の発明は、請求項７記載のプログラムを記録したコンピュータ読取可能な記録媒体に存する。
【００２３】
請求項６、７、８に記載の発明によれば、少なくとも手動設定モード時において、２種類のＷＢゲインの関係が一目でわかる。
【００２４】
【発明の実施の形態】
以下、本発明の一実施の形態を、図面に基づいて説明する。図１は、本発明の撮像装置の一実施の形態としてのデジタルスチルカメラを示すブロック図である。
同図に示すように、被写体光は、撮影レンズ１を通して、光電変換手段としての電荷結合素子２（以下、ＣＣＤ２）に入射される。撮影レンズ１とＣＣＤ２との間には、電子シャッタ３が配置されており、この電子シャッタ３により、ＣＣＤ２に入射される光量が制限される。
【００２５】
上述したＣＣＤ２は、光電変換を行う複数の画素を二次マトリクス状に配列した撮像面を有し、被写体光が入射されることにより、撮像面に結像された被写体像を電気信号に変換して、アナログの画像データとして出力する。ＣＣＤ２から出力された画像データは、フロントエンド回路４（以下、Ｆ／Ｅ４）により、各種信号処理が行われた後、デジタル信号処理５（以下ＤＳＰ５）に対して出力される。
【００２６】
上記ＤＳＰ５は、デジタルの画像データを一時格納するＳＤＲＡＭ６を用いて、ホワイトバランス（以下、ＷＢ）制御や、圧縮／伸長処理などの各種画像処理を行ったり、また、信号処理された画像データを表示手段としての液晶ディスプレイ７（以下、ＬＣＤ７）に表示させる装置である。
【００２７】
上記Ｆ／Ｅ４は、画像データのノイズ成分を除去する相関２重サンプリング回路４ａ（以下、ＣＤＳ４ａ）と、ゲインを調整することにより、画像データの明るさを調整する自動ゲイン調整回路４ｂ（以下、ＡＧＣ４ｂ）と、アナログの画像データをデジタルの画像データに変換するアナログ／デジタル変換器（以下、ＡＤＣ）４ｃとを有している。
【００２８】
また、上述したＣＣＤ２、ＣＤＳ４ａ、ＡＧＣ４ｂ及びＡＤＣ４ｃは、マイクロコンピュータ８（以下、μＣＯＭ８）によって、その変換タイミングや除去タイミングが制御されている。
【００２９】
μＣＯＭ８は、カメラ全体の制御を行うためのものであり、プログラムに従って各種演算処理を行うＣＰＵ８ａ、ＣＰＵ８ａが行うプログラムなどを格納した読出専用メモリであるＲＯＭ８ｂ及びＣＰＵ８ａでの各種の処理過程で利用するワークエリア、各種データを格納するデータ格納エリアなどを有する読出書込自在のメモリであるＲＡＭ８ｃなどを内蔵し、これらが図示しないバスラインによって相互接続されている。
【００３０】
ＣＰＵ８ａは、ＷＢ制御、自動露出制御、自動焦点制御などに用いる設定値の演算を行う機能と、演算した設定値をＦ／Ｅ４やＤＳＰ５に対して設定する機能とを有する。
【００３１】
上述したμＣＯＭ８には、ＤＳＰ５から出力される画像データを格納するためのメモリカード９と、撮像指示操作や、ＷＢゲインの手動設定操作が行われる操作スイッチを有する操作手段としての操作部１０と、各種設定値が格納されているＥＥＰＲＯＭ１１とが接続されている。
【００３２】
次に、ＤＳＰ５内に設けられたＷＢ制御を行うＷＢ制御部の構成について、図２を参照して説明する。
同図に示すように、ＷＢ制御部は、Ｆ／Ｅ４から出力されるＲ、Ｇｒ、Ｇｂ、Ｇからなる画像データを、Ｒ、Ｇｒ、Ｇｂ、Ｂに分離するマルチプレクサ５ａ（以下、ＭＰＸ５ａ）と、ＣＰＵ８ａからの設定値信号に従って、Ｒ、Ｇｒ、Ｇｂ、Ｂの各々に対するＷＢゲインを調整するホワイトバランス制御手段としてのゲイン調整回路５ｂと、Ｒ、Ｇｒ、Ｇｂ、ＢをＲ、Ｇ、Ｂに変換するマトリクス回路５ｃとを備えている。ＷＢ制御部は、さらにＦ／Ｅ４から出力される画像データのＲ、Ｇ、Ｂ毎の評価値（ΣＲ、ΣＧ、ΣＢ）を生成する評価値生成回路５ｄを備えている。
【００３３】
上述した構成のデジタルスチルカメラの動作を以下説明する。
操作部１０内に備えられた電源スイッチや、モード切替スイッチの操作によって、ＣＣＤ２による光電変換が可能な撮像モードに設定されると、デジタルスチルカメラは、撮像処理を開始する。撮像処理においては、上記ＣＣＤ２により、その撮像面に結像された光学像を光電変換して得た画像データが、１／３０秒ごとに、Ｆ／Ｅ４を介してＤＳＰ５に送られる。ＤＳＰ５は、Ｆ／Ｅ４から送られた画像データを、ＣＣＤ２の配列のまま、ＳＤＲＡＭ６に格納する。ＳＤＲＡＭ６に格納された画像データは、再度、ＤＳＰ５に読み込まれ、ＤＳＰ５内に備えられたＭＰＸ５ａによりＲ、Ｇｒ、Ｇｂ、Ｂに分離された後、ゲイン調整回路５ｂに入力される（図２参照）。
【００３４】
ゲイン調整回路５ｂは、ＣＰＵ８ａからの設定値信号に従って、Ｒ、Ｇｒ、Ｇｂ、Ｂの各々に対するＷＢゲインを調整し、調整したＷＢゲインを用いてＲ、Ｇｒ、Ｇｂ、Ｂを増幅することにより、ＷＢ制御を行う。ＷＢ制御されたＲ、Ｇｒ、Ｇｂ、Ｂは、マトリクス回路５ｃにより、Ｒ、Ｇ、Ｂに変換されて、ＳＤＲＡＭ６に格納される。
【００３５】
ＳＤＲＡＭ６に格納されたＲ、Ｇ、Ｂ画像データは、再度、ＤＳＰ５に読み込まれ、ＤＳＰ５内に備えられたＹＵＶ変換部（図示せず）で、ＹＵＶ変換されてＳＤＲＡＭ６に書き戻される。ＹＵＶ変換された画像データは、ＤＳＰ５内のデジタルアナログ変換回路５ｅ（以下、ＤＡＣ５ｅ）を介してＬＣＤ７に送られ表示される。この処理が１／３０秒毎に繰り返される。以上の動作により、撮像モード時は、ＣＣＤ２によって撮像された撮像画像が、ＬＣＤ７に表示される。
【００３６】
また、操作部１０内に備えられたレリーズボタンの撮像指示操作が行われると、その操作に応じて上述したＹＵＶ変換された画像データは、ＬＣＤ７だけでなくＤＳＰ５内の画像圧縮処理回路（図示せず）に送られる。画像圧縮回路に送られたＹＵＶ変換後の画像データはＪＰＥＧ準拠の圧縮処理が施され、ＳＤＲＡＭ６に書き戻される。ＳＤＲＡＭ６の圧縮された画像データはＤＳＰ５を介して読み出され、メモリカード９に格納される。
【００３７】
次に、モード切替スイッチの操作によって、ＷＢのモードを選択するＷＢ選択モードに設定されると、ＬＣＤ７には、図３に示すような選択画像１００が、撮影画像に重畳される。なお、本発明の実施形態では、ＷＢモードとしては、自動ＷＢモード、屋外プリセット（以下、Ｐ）ＷＢモード、マニュアル（以下、Ｍ）ＷＢモード、白熱灯ＰＷＢモード、蛍光灯ＰＷＢモードの５つの中から選べるようになっている。
【００３８】
上記自動ＷＢモードにおいて、ＣＰＵ８ａは、画像データが入力される毎に、評価値生成回路５ｄが生成した評価値に基づき、マトリクス回路５ｃから出力されるＲ、Ｇ、Ｂの比が、１：１：１になるようにＲ、Ｂに対するＷＢゲインを設定し、その設定値に応じた設定値信号をゲイン調整回路５ｂに対して出力する。屋外ＰＷＢモードにおいて、ＣＰＵ８ａは、屋外撮影用に定められた値に、Ｒ、Ｂに対するＷＢゲインを設定する。
【００３９】
ＭＷＢモードにおいて、ＣＰＵ８ａは、操作部１０内の手動設定ボタンを使って、撮影者が手動により定めた値に、Ｒ、Ｂに対するＷＢゲインを設定する。白熱灯ＰＷＢモードにおいて、ＣＰＵ８ａは、白熱灯下撮影用に予め定められた値に、Ｒ、Ｂに対するＷＢゲインを設定し、蛍光灯ＰＷＢモードにおいて、ＣＰＵ８ａは、蛍光灯下撮影用に予め定められた値に、Ｒ、Ｂに対するＷＢゲインを設定する。上記選択画像１００中、１０１は自動ＷＢ、１０２は屋外ＰＷＢ、１０３はＭＷＢ、１０４は白熱灯ＷＢ、１０５は蛍光灯ＰＷＢを各々示す画像である。
【００４０】
次に、ＭＷＢモードの選択操作に応じて、開始されるＷＢゲイン設定処理について、図４のＣＰＵ８ａの処理手順を示すフローチャートを参照して説明する。このフローチャートが示す動作は、ＲＯＭ８ｂ内に格納されたプログラムに従って、ＣＰＵ８ａが行う動作である。なお、本実施形態のＷＢゲイン設定処理は、Ｒ、Ｂに対するＷＢゲインの設定を行えるものとする。
【００４１】
まず、ＣＰＵ８ａは、記憶手段として働き、ＷＢゲインの現設定値を、ＭＷＢモード選択直前の設定値として、ＲＡＭ８ｃ内に格納する（ステップＳ１）。次に、ＣＰＵ８ａは、表示制御手段として働き、図３に示すように、ステップＳ１で格納した選択直前の設定値を示す現設定値表示画像２００を表示する（ステップＳ２）。
【００４２】
この現設定値表示画像２００は、Ｒに対するＷＢゲインの可変範囲を示すＲレベルゲージ２０１と、Ｂに対するＷＢゲインの可変範囲を示すＢレベルゲージ２０２とが直交してなるＲ−Ｂ座標と、このＲ−Ｂ座標上におけるＲ、Ｂに対する両ＷＢゲインの現設定値を指示する現設定値マーク２０３とを表示させている。
【００４３】
次に、ＣＰＵ８ａは、操作部１０内で手動設定操作が行われると（ステップＳ３でＹ）、手動設定手段として働き、その操作量に応じて、ＷＢゲインの現設定値を変える手動設定処理を行う（ステップＳ４）。この手動設定処理において、ＣＰＵ８ａは、ステップＳ２で表示させた選択直前の設定値から、手動設定を開始する。つまり、自動ＷＢモードから上記ＭＷＢモードが選択されると、選択直前に、自動ＷＢモードによって自動調節されているＷＢゲインの現設定値から、手動設定が開始される。一方、屋外、白熱灯、蛍光灯ＰＷＢモードから上記ＭＷＢモードが選択されると、プリセットされている値から、手動設定が開始される。
【００４４】
以上のように、ＭＷＢモード選択直前の設定値から手動設定動作を開始することにより、自動ＷＢモードや、ＰＷＢモードといった他のＷＢ設定モードによりおおまかにゲインが調整された状態から手動で微調整を行うことができ、ＷＢゲインのＭＷＢモードでの操作性を向上することができる。
【００４５】
また、上記手動設定処理中、ＣＰＵ８ａは、その操作量に応じて、上記現設定値マーク２０３を移動させ、常時、現設定値マーク２０３により現設定値を指示させ続けている。さらに、ＣＰＵ８ａは、撮影者が、ＷＢゲインの可変範囲を超えるような手動設定操作を行ったとき、警報発生手段として働き、ＬＣＤ７に、その旨を示す表示を行わせる。図５は警告表示の一例を示しており、ＣＰＵ８ａは、ＬＣＤ７上にＷＢゲインの現設定値がＷＢゲインの可変範囲を超えたことを示す警告２０４を表示させる。
【００４６】
なお、この間にも上記撮像処理が行われているため、手動で設定中のＷＢゲインを用いたＷＢ処理が行われる。次に、撮影者が、操作部１０内のリセットボタンを操作すると（ステップＳ５でＹ）、ＣＰＵ８ａは、リセット手段として働き、ＷＢゲインの現設定値を、ステップＳ１で格納したＭＷＢモード選択直前の設定値にリセットするリセット処理を行った後（ステップＳ６）、再びステップＳ４に戻る。
【００４７】
一方、撮影者が、ＬＣＤ７に表示されている撮像画像をみて、最適な色合いに調整されたと判断して、操作部１０内の確定ボタンを操作すると（ステップＳ７でＹ）、ＷＢゲインが現設定値に固定され、ＷＢゲイン設定処理が終了される。
【００４８】
以上のデジタルスチルカメラによれば、現設定値表示画像２００を表示することにより、ＭＷＢモード時に、ＷＢゲインの可変範囲に対する現設定値が一目でわかるとともに、Ｒ及びＢに対するＷＢゲインの関係も一目でわかる。また、リセットボタンを押すだけで、簡単にＷＢゲインをＭＷＢモード選択直前に戻すこともできる。
【００４９】
なお、上述した実施形態では、ＭＷＢモードが選択されたときに現設定値表示画像２００を表示させることとしたが、例えば、ＰＷＢモードが選択されたときも同様に、ＣＰＵ８ａは、プリセット設定手段として働き、予め定めた値に、ＷＢゲインの現設定値をプリセットすると、プリセットされた現設定値を表示する現設定値表示画像２００を表示する。
【００５０】
なお、本実施の形態においては、ＣＰＵ８ａが、ＬＣＤ７上にＷＢゲインを設定するためのゲインの現設定値に関する情報である現設定値表示画像２００を表示する構成について説明しているが、これに限られず、ＣＰＵ８ａはＬＣＤ７とは別の表示手段を設け、ＣＰＵ８ａはそれに現設定値表示画像２００を表示させるようにしてもよい。なお、本実施の形態では、制御プログラムは記録媒体としてＲＯＭ８ｂ中に格納されている例を説明したが、これに限られず、例えばＣＤ−ＲＯＭ等の光ディスクやＨＤＤ等の磁気ディスク等可搬な情報記録媒体に記録されたものであってもよい。この場合、インターネットやパーソナルコンピュータを介して撮像装置内のＲＯＭ８ｂにインストールすることにより、本発明の動作を行なうこととなる。
【００５１】
【発明の効果】
以上説明したように、請求項１、６、７、８記載の発明によれば、手動設定モード時に、２種類のＷＢゲインの関係が一目でわかるので、ＷＢゲインの手動設定時での操作性を向上した撮像装置を得ることができる。
【００５３】
請求項２記載の発明によれば、ＷＢゲインのプリセット設定モード時でも、ゲインの可変範囲に対する現設定値が一目でわかる撮像装置を得ることができる。
【００５４】
請求項３記載の発明によれば、選択直前の現設定値から手動設定を開始することにより、他の設定モードによりおおまかにゲインが調整された状態から手動で微調整することができるので、ＷＢゲインの手動設定時での操作性を向上した撮像装置を得ることができる。
【００５５】
請求項４記載の発明によれば、リセット操作するだけで、簡単にＷＢゲインを手動設定モード選択前に戻すことができるので、ＷＢゲインの手動設定時での操作性を向上した撮像装置を得ることができる。
【００５６】
請求項５記載の発明によれば、リセット操作するだけで、簡単にＷＢゲインを手動設定モード選択前に戻すことができるので、ＷＢゲインの手動設定時での操作性を向上した撮像装置を得ることができる。
【図面の簡単な説明】
【図１】本発明の撮像装置の一実施形態としてのデジタルスチルカメラのブロック図である。
【図２】図１のデジタルスチルカメラを構成するＷＢ制御部を示す図である。
【図３】図１のデジタルスチルカメラを構成するＬＣＤ７の表示例である。
【図４】図１のデジタルスチルカメラを構成するＣＰＵ８ａのＷＢゲイン設定処理における処理手順を示すフローチャートである。
【図５】図１のデジタルスチルカメラを構成するＬＣＤ７上の警告表示例である。
【符号の説明】
２    ＣＣＤ（光電変換手段）
１０  操作部（操作手段）
８ａ  ＣＰＵ（手動設定手段、表示制御手段、プリセット設定手段、記憶手段、リセット手段、警報発生手段）
５ｂ  ゲイン調整回路（ホワイトバランス制御手段）
【図１】
0004028358.tif 000002
【図２】
0004028358.tif 000003
【図３】
0004028358.tif 000004
【図４】
0004028358.tif 000005
【図５】
0004028358.tif 000006